(57)【要約】【課題】カバーをベースに容易に組み付けることができ、かつ、防水性が高い電気接続箱を提供する。【解決手段】電気接続箱１は、上面側に複数の電子部品５が取り付けられるベース２と、アッパカバー３と、ロアカバー４と、を備えている。ベース２の周壁２１は、ベース外周壁２２及びベース内周壁２３から成る二重壁構造となっている。アッパカバー３の周壁３１は、カバー外周壁３２及びカバー内周壁３３から成る二重壁構造となっている。ベース外周壁２２の上端部２２ａは、カバー外周壁３２とカバー内周壁３３との間に位置付けられる。また、カバー内周壁３３の下端部３３ａは、ベース外周壁２２とベース内周壁２３との間に位置付けられる。カバー内周壁３３は、カバー外周壁３２よりも下まで延びている。また、カバー内周壁３３の下端部３３ａは、先細形状に形成されている。【選択図】図３
2014236654.tif 000002
【特許請求の範囲】
【請求項１】
上面側に電子部品が取り付けられるベースと、前記ベースに組み付けられて前記電子部品を覆うカバーと、を備え、
前記ベースの周壁が、ベース外周壁及びベース内周壁から成る二重壁構造となっており、
前記カバーの周壁が、カバー外周壁及びカバー内周壁から成る二重壁構造となっており、
前記ベース外周壁の上端部が前記カバー外周壁と前記カバー内周壁との間に位置付けられ、前記カバー内周壁の下端部が前記ベース外周壁と前記ベース内周壁との間に位置付けられ、
前記カバー外周壁と前記ベース外周壁との間から進入した水が、前記ベース外周壁と前記ベース内周壁との間から落下する電気接続箱において、
前記カバー内周壁が前記カバー外周壁よりも下まで延びている
ことを特徴とする電気接続箱。
【請求項２】
前記カバー内周壁の下端部が先細形状に形成されている
ことを特徴とする請求項１に記載の電気接続箱。
【請求項３】
前記カバー内周壁が、前記ベースの上面側の部品搭載面よりも下まで延びている
ことを特徴とする請求項１又は請求項２に記載の電気接続箱。
【発明の詳細な説明】
【技術分野】
【０００１】
本発明は、自動車に搭載される電気接続箱に関するものである。
【背景技術】
【０００２】
自動車に搭載される電気接続箱には様々な構造のものがあるが、例えば、図４に示す構造のものがある（例えば特許文献１を参照。）。
【０００３】
図４に示す電気接続箱３１５は、ベースブロック３１１と、ベースブロック３１１の上面側に取り付けられるリレー３３０等の電子部品と、ベースブロック３１１に組み付けられてリレー３３０等の電子部品を覆うアッパカバー３１０と、を備えている。
【０００４】
上記ベースブロック３１１は、その上面に位置する部品搭載面３２０と、部品搭載面３２０から立設したガイド壁３２１と、周壁３３１と、周壁３３１の内周に形成された水抜き孔３３３と、を有している。
【０００５】
上記アッパカバー３１０の周壁は、外周壁３３４及び内周壁３３２から成る二重壁構造となっている。
【０００６】
ベースブロック３１１の周壁３３１の上端部は、アッパカバー３１０の外周壁３３４と内周壁３３２との間に位置付けられる。また、アッパカバー３１０の内周壁３３２の下端部は、水抜き孔３３３内に位置付けられる。
【０００７】
このような電気接続箱３１５において、ベースブロック３１１とアッパカバー３１０との隙間３４３から進入した水は、水抜き孔３３３から落下し、電気接続箱３１５外に排出される。
【０００８】
さらに、上記電気接続箱３１５においては、ベースブロック３１１とアッパカバー３１０との隙間３４３から進入した水が部品搭載面３２０に到達することを確実に阻止するために、部品搭載面３２０をアッパカバー３１０の内周壁３３２の下端よりも上方に配置している。
【先行技術文献】
【特許文献】
【０００９】
【特許文献１】特開２００９−１３１０８８号公報
【発明の概要】
【発明が解決しようとする課題】
【００１０】
しかしながら、上述した従来の電気接続箱３１５においては、以下に示す問題があった。すなわち、上記アッパカバー３１０は、外周壁３３４が内周壁３３２よりも下まで延びている構成であるがゆえに、アッパカバー３１０をベースブロック３１１に組み付ける際、アッパカバー３１０の内周壁３３２を目視することができず、そのために、アッパカバー３１０の内周壁３３２を水抜き孔３３３内に挿入しづらく（狙い難く）、組み付け作業性が悪いという問題があった。
【００１１】
なお、アッパカバー３１０の内周壁３３２の長さを短くすれば上述した組み付け作業性は向上されるが、その場合、ベースブロック３１１とアッパカバー３１０との隙間３４３から進入した水が部品搭載面３２０に到達し易くなってしまうという問題があった。
【００１２】
したがって、本発明は、カバーをベースに容易に組み付けることができ、かつ、防水性が高い電気接続箱を提供することを目的とする。
【課題を解決するための手段】
【００１３】
請求項１に記載された発明は、上面側に電子部品が取り付けられるベースと、前記ベースに組み付けられて前記電子部品を覆うカバーと、を備え、前記ベースの周壁が、ベース外周壁及びベース内周壁から成る二重壁構造となっており、前記カバーの周壁が、カバー外周壁及びカバー内周壁から成る二重壁構造となっており、前記ベース外周壁の上端部が前記カバー外周壁と前記カバー内周壁との間に位置付けられ、前記カバー内周壁の下端部が前記ベース外周壁と前記ベース内周壁との間に位置付けられ、前記カバー外周壁と前記ベース外周壁との間から進入した水が、前記ベース外周壁と前記ベース内周壁との間から落下する電気接続箱において、前記カバー内周壁が前記カバー外周壁よりも下まで延びていることを特徴とする電気接続箱である。
【００１４】
請求項２に記載された発明は、請求項１に記載された発明において、前記カバー内周壁の下端部が先細形状に形成されていることを特徴とするものである。
【００１５】
請求項３に記載された発明は、請求項１又は請求項２に記載された発明において、前記カバー内周壁が、前記ベースの上面側の部品搭載面よりも下まで延びていることを特徴とするものである。
【発明の効果】
【００１６】
請求項１に記載された発明によれば、前記カバー内周壁が前記カバー外周壁よりも下まで延びているので、カバーをベースに組み付ける際、カバー内周壁を目視しながらカバー内周壁の下端部をベース外周壁とベース内周壁との間に位置付けることができる。よって、カバーをベースに容易に組み付けることができ、かつ、防水性が高い電気接続箱を提供することができる。
【００１７】
請求項２に記載された発明によれば、前記カバー内周壁の下端部が先細形状に形成されているので、カバー内周壁の下端部をさらに容易にベース外周壁とベース内周壁との間に位置付けることができる。
【００１８】
請求項３に記載された発明によれば、前記カバー内周壁が、前記ベースの上面側の部品搭載面よりも下まで延びているので、カバー外周壁とベース外周壁との間から進入した水を、より一層、部品搭載面に到達し難くすることができ、防水性を向上させることができる。
【図面の簡単な説明】
【００１９】
【図１】本発明の一実施形態にかかる電気接続箱の斜視図である。
【図２】図１中のＡ−Ａ線に沿った断面図である。
【図３】図２中の要部を拡大した図である。
【図４】従来の電気接続箱の断面図である。
【発明を実施するための形態】
【００２０】
本発明の一実施形態にかかる「電気接続箱」を図１〜３を参照して説明する。
【００２１】
図１，２に示す電気接続箱１は、自動車に搭載されて主に電源分配を行うものであり、上面側にリレー、ヒューズ等の複数の電子部品５が取り付けられるベース２と、ベース２の上面側に組み付けられて電子部品５を覆うアッパカバー（請求項の「カバー」に相当する。）３と、ベース２の下面側に組み付けられるロアカバー４と、を備えている。
【００２２】
上記ベース２は、合成樹脂によりブロック状に形成されている。ベース２の上面には上記電子部品５が載置される部品搭載面２０が設けられ、部品搭載面２０からは電子部品５を部品搭載面２０へガイドするガイド壁２４が立設している。部品搭載面２０には電子部品５の端子部が差し込まれる差込孔２５が設けられている。差込孔２５に差し込まれた電子部品５の端子部は、ベース２内に取り付けられたバスバや端子付き電線と電気接続される。これらバスバや端子付き電線は、ベース２の下面側からベース２内に取り付けられる。
【００２３】
また、上記ベース２の周壁２１は、電気接続箱１の防水性を高めるため、ベース外周壁２２及びベース内周壁２３から成る二重壁構造となっている。ベース外周壁２２の上端部には、アッパカバー３を固定するためのロック７が設けられ、ベース外周壁２２の下端部には、ロアカバー４を固定するためのロック９が設けられている。
【００２４】
上記アッパカバー３は、合成樹脂で構成されており、天井壁３０と周壁３１とから成る箱状に形成されている。アッパカバー３の周壁３１は、電気接続箱１の防水性を高めるため、カバー外周壁３２及びカバー内周壁３３から成る二重壁構造となっている。カバー外周壁３２の下端部には、ベース２のロック７に係止するロック６が設けられている。
【００２５】
上記ロアカバー４は、合成樹脂で構成されており、底壁４０と周壁４１とから成る箱状に形成されている。周壁４１の上端部には、ベース２のロック９に係止するロック８が設けられている。
【００２６】
図３に示すように、ベース外周壁２２の上端部２２ａは、カバー外周壁３２とカバー内周壁３３との間に位置付けられる。また、カバー内周壁３３の下端部３３ａは、ベース外周壁２２とベース内周壁２３との間に位置付けられる。また、カバー内周壁３３の下端部３３ａは、ベース外周壁２２及びベース内周壁２３に密着しておらず、これらとの間に隙間を有している。
【００２７】
また、上記カバー内周壁３３は、カバー外周壁３２よりも下まで延びている。このことから、アッパカバー３をベース２に組み付ける際、カバー内周壁３３を目視しながらカバー内周壁３３の下端部３３ａをベース外周壁２２とベース内周壁２３との間に位置付けることができ、アッパカバー３をベース２に容易に組み付けることができる。
【００２８】
また、上記カバー内周壁３３の下端部３３ａは、先細形状に形成されている。このことから、アッパカバー３をベース２に組み付ける際、カバー内周壁３３の下端部３３ａをさらに容易にベース外周壁２２とベース内周壁２３との間に位置付けることができ、アッパカバー３をベース２にさらに容易に組み付けることができる。
【００２９】
このような電気接続箱１において、カバー外周壁３２とベース外周壁２２との間から進入した水は、ベース外周壁２２とベース内周壁２３との間から落下し、部品搭載面２０に到達することなく電気接続箱１外に排出される。さらに、カバー内周壁３３は、ベース２の部品搭載面２０よりも下まで延びている。このことから、カバー外周壁３２とベース外周壁２２との間から進入した水を、より一層、部品搭載面２０に到達し難くすることができ、電気接続箱１の防水性を向上させることができる。
【００３０】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３１】
１  電気接続箱
２  ベース
３  アッパカバー（カバー）
５  電子部品
２１  周壁
２２  ベース外周壁
２３  ベース内周壁
３１  周壁
３２  カバー外周壁
３３  カバー内周壁
【図１】
2014236654.tif 000003
【図２】
2014236654.tif 000004
【図３】
2014236654.tif 000005
【図４】
2014236654.tif 000006